(57)【要約】【課題】水源へのクーラント原液の逆流を防止することができるとともに、希釈クーラントの濃度を安定化させることができるクーラント供給装置を提供する。【解決手段】加工機にクーラントを供給するクーラント供給装置１であって、クーラント原液を貯留する原液メインタンク３と、原液メインタンクから供給されるクーラント原液を貯留する原液計量タンク４と、水を貯留する水タンク５と、水タンクから供給される水と原液計量タンクから供給されるクーラント原液とを混合して希釈クーラントを生成する希釈部２４と、希釈部で生成された希釈クーラントを貯留する中間調整タンク６と、を備える。【選択図】図１
2013230521.tif 000002
【特許請求の範囲】
【請求項１】
加工機にクーラントを供給するクーラント供給装置であって、
クーラント原液を貯留する原液メインタンクと、
前記原液メインタンクから供給されるクーラント原液を貯留する原液計量タンクと、
水を貯留する水タンクと、
前記水タンクから供給される水と前記原液計量タンクから供給されるクーラント原液とを混合して希釈クーラントを生成する希釈部と、
前記希釈部で生成された希釈クーラントを貯留する中間調整タンクと、を備えることを特徴とするクーラント供給装置。
【請求項２】
前記希釈部は、水及びクーラント原液を混合するミキシング構造と、前記水タンク内の水を汲み上げる水供給用ポンプと、該水供給用ポンプで汲み上げられた水を一定圧にて前記ミキシング構造に供給するためのレギュレータと、を備える請求項１記載のクーラント供給装置。
【請求項３】
一端側が前記水タンクに接続され他端側が水源に接続される水供給用配管と、該水供給用配管内の通路を開閉する水供給用電磁弁と、前記水タンク内の水の液面レベルを検出する水位センサと、該水位センサの検出結果に基づいて前記水供給用電磁弁を開閉制御する制御部と、を備える請求項１又は２に記載のクーラント供給装置。
【請求項４】
前記希釈部に設けられ且つ前記水タンク内の水を汲み上げる水供給用ポンプと、前記中間調整タンク内の希釈クーラントの液面レベルを検出する加工油位センサと、該加工油位センサの検出結果に基づいて前記水供給用ポンプを駆動制御する制御部と、を備える請求項１乃至３のいずれか一項に記載のクーラント供給装置。
【発明の詳細な説明】
【技術分野】
【０００１】
本発明は、クーラント供給装置に関し、さらに詳しくは、水源へのクーラント原液の逆流を防止することができるとともに、希釈クーラントの濃度を安定化させることができるクーラント供給装置に関する。
【背景技術】
【０００２】
従来のクーラント供給装置として、各加工機からの要求信号に基づいてクーラント（加工油）を加工機へ供給するものが知られている（例えば、特許文献１参照）。この特許文献１には、例えば、図７に示すように、クーラント原液を貯留する原液メインタンク１０３と、この原液メインタンク１０３から供給されるクーラント原液を貯留する原液計量タンク１０４と、水道管等の水源１１７から直接的に供給される水と原液計量タンク１０４から供給されるクーラント原液とを混合して希釈クーラントを生成する希釈部１２５と、この希釈部１２５で生成された希釈クーラントを貯留する中間調整タンク１０６と、を備え、ポンプ１３４の駆動により中間調整タンク１０６内に貯留された希釈クーラントを各加工機へ供給するクーラント供給装置１０１が開示されている。このように原液計量タンク１０４を備えることで、原液計量タンク１０４でのクーラント原液の液面レベルを管理して希釈部１２５に対するクーラント原液の供給圧力を一定にしている。
【先行技術文献】
【特許文献】
【０００３】
【特許文献１】特開２０１０−２１４４９１号公報
【発明の概要】
【発明が解決しようとする課題】
【０００４】
しかし、上記従来のクーラント供給装置１０１では、希釈部１２５に対して水源１１７からの水を直接的に供給しているので、水道管等の水源１１７に対してクーラント原液が逆流してしまう恐れがある。また、工場等に設置されるクーラント供給装置１０１の近傍での水源１１７の使用状況や水源１１７自体の水供給能力等に応じて希釈部１２５に対する供給水の圧力が変化してしまい、希釈部１２５で生成される希釈クーラントの濃度が一定とならない場合がある。
【０００５】
本発明は、上記現状に鑑みてなされたものであり、水源へのクーラント原液の逆流を防止することができるとともに、希釈クーラントの濃度を安定化させることができるクーラント供給装置を提供することを目的とする。
【課題を解決するための手段】
【０００６】
上記問題を解決するために、請求項１に記載の発明は、加工機にクーラントを供給するクーラント供給装置であって、クーラント原液を貯留する原液メインタンクと、前記原液メインタンクから供給されるクーラント原液を貯留する原液計量タンクと、水を貯留する水タンクと、前記水タンクから供給される水と前記原液計量タンクから供給されるクーラント原液とを混合して希釈クーラントを生成する希釈部と、前記希釈部で生成された希釈クーラントを貯留する中間調整タンクと、を備えることを要旨とする。
請求項２に記載の発明は、請求項１記載において、前記希釈部は、水及びクーラント原液を混合するミキシング構造と、前記水タンク内の水を汲み上げる水供給用ポンプと、該水供給用ポンプで汲み上げられた水を一定圧にて前記ミキシング構造に供給するためのレギュレータと、を備えることを要旨とする。
請求項３に記載の発明は、請求項１又は２記載において、一端側が前記水タンクに接続され他端側が水源に接続される水供給用配管と、該水供給用配管内の通路を開閉する水供給用電磁弁と、前記水タンク内の水の液面レベルを検出する水位センサと、該水位センサの検出結果に基づいて前記水供給用電磁弁を開閉制御する制御部と、を備えることを要旨とする。
請求項４に記載の発明は、請求項１乃至３のいずれか一項に記載において、前記希釈部に設けられ且つ前記水タンク内の水を汲み上げる水供給用ポンプと、前記中間調整タンク内の希釈クーラントの液面レベルを検出する加工油位センサと、該加工油位センサの検出結果に基づいて前記水供給用ポンプを駆動制御する制御部と、を備えることを要旨とする。
【発明の効果】
【０００７】
本発明のクーラント供給装置によると、クーラント原液を貯留する原液メインタンクと、原液メインタンクから供給されるクーラント原液を貯留する原液計量タンクと、水を貯留する水タンクと、水タンクから供給される水と原液計量タンクから供給されるクーラント原液とを混合して希釈クーラントを生成する希釈部と、希釈部で生成された希釈クーラントを貯留する中間調整タンクと、を備えるので、各加工機からの要求信号に基づいて中間調整タンク内に貯留される希釈クーラントが各加工機へ供給される。このように水タンクを備えることで、水源へのクーラント原液の逆流を防止することができる。また、原液計量タンクを備えることで、原液計量タンクでのクーラント原液の液面レベルを管理して希釈部に対するクーラント原液の供給圧力を一定にすることができる。その結果、希釈クーラントの濃度を安定化させることができる。
また、前記希釈部が、水及びクーラント原液を混合するミキシング構造と、前記水タンク内の水を汲み上げる水供給用ポンプと、該水供給用ポンプで汲み上げられた水を一定圧にて前記ミキシング構造に供給するためのレギュレータと、を備える場合は、水タンク内の水は、水供給用ポンプで汲み上げられてレギュレータを介してミキシング構造に一定圧にて供給される。その結果、希釈クーラントの濃度をより確実に安定化させることができる。
また、水供給用配管と、水供給用電磁弁と、水位センサと、制御部と、を備える場合は、水タンク内の水の液面レベルが予め決められた設定値未満となったときに、制御部により水供給用電磁弁が開放されて水源からの水が水供給用配管を介して水タンク内に供給される。これにより、水タンクでの水の液面レベルを適正に管理できる。
さらに、水供給用ポンプと、加工油位センサと、制御部と、を備える場合は、中間調整タンク内の希釈クーラントの液面レベルが予め決められた設定値未満となったときに、制御部により水供給用ポンプが駆動されて水タンク内の水及び原液計量タンク内の原液クーラントが希釈部に供給され希釈クーラントが生成されて中間調整タンク内に供給される。これにより、中間調整タンクでの希釈クーラントの液面レベルを適正に管理できる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】本実施例に係るクーラント供給装置を示す正面図である。
【図２】図１のＩＩ矢視図である。
【図３】図１のＩＩＩ矢視図である。
【図４】上記クーラント供給装置の制御回路を示すブロック図である。
【図５】本実施例に係る制御部の補給制御処理を示すフローチャートである。
【図６】上記クーラント供給装置の概略を示す模式図である。
【図７】従来のクーラント供給装置を示す斜視図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．クーラント供給装置
本実施形態１．に係るクーラント供給装置は、加工機にクーラントを供給するクーラント供給装置であって、クーラント原液を貯留する原液メインタンク（３）と、原液メインタンクから供給されるクーラント原液を貯留する原液計量タンク（４）と、水を貯留する水タンク（５）と、水タンクから供給される水と原液計量タンクから供給されるクーラント原液とを混合して希釈クーラントを生成する希釈部（２４）と、希釈部で生成された希釈クーラントを貯留する中間調整タンク（６）と、を備えることを特徴とする（例えば、図１及び図２等参照）。なお、上記希釈クーラント（加工油）は、通常、加工機での加工に使用されて冷却、潤滑、防錆、切り屑付着防止等の多彩な機能を発揮する。
【００１１】
本実施形態１．に係るクーラント供給装置としては、例えば、上記希釈部（２４）は、水及びクーラント原液を混合するミキシング構造（２５）と、水タンク（５）内の水を汲み上げる水供給用ポンプ（２３）と、水供給用ポンプで汲み上げられた水を一定圧にてミキシング構造に供給するためのレギュレータ（２７）と、を備える形態（例えば、図１及び図２等参照）を挙げることができる。
【００１２】
本実施形態１．に係るクーラント供給装置としては、例えば、一端側が水タンク（５）に接続され他端側が水源（１７）に接続される水供給用配管（１８）と、水供給用配管内の通路を開閉する水供給用電磁弁（１９）と、水タンク内の水の液面レベルを検出する水位センサ（２１）と、水位センサの検出結果に基づいて水供給用電磁弁を開閉制御する制御部（４０）と、を備える形態（例えば、図３及び図４等参照）を挙げることができる。
【００１３】
本実施形態１．に係るクーラント供給装置としては、例えば、上記希釈部（２４）に設けられ且つ前記水タンク（５）内の水を汲み上げる水供給用ポンプ（２３）と、上記中間調整タンク（６）内の希釈クーラントの液面レベルを検出する加工油位センサ（３２）と、加工油位センサの検出結果に基づいて水供給用ポンプ（２３）を駆動制御する制御部（４０）と、を備える形態（例えば、図１及び図４等参照）を挙げることができる。
【実施例】
【００１４】
以下、図面を用いて実施例により本発明を具体的に説明する。
【００１５】
（１）クーラント供給装置の構成
本実施例に係るクーラント供給装置１は、図１〜図３に示すように、筐体２の上部に配設される鉄製の原液メインタンク３を備えている。この原液メインタンク３内には、投入口（図示省略）から投入されるクーラント原液が貯留される。また、筐体２の下部には、ステンレス製の原液計量タンク４、水タンク５及び中間調整タンク６が原液メインタンク３の下方で水平方向に隣接するように配設されている。これら原液計量タンク４、水タンク５及び中間調整タンク６の上部には、各タンク４、５、６の上方開放部を閉鎖するように蓋体７が着脱可能に取り付けられている。
【００１６】
なお、上記原液メインタンク３の容量（例えば、２８０Ｌ）は中間調整タンク６の容量より大きく、中間調整タンク６の容量（例えば、４４Ｌ）は水タンク５の容量より大きく、水タンク５の容量（例えば、２８Ｌ）は原液計量タンク４（例えば、９Ｌ）の容量より大きくされている。
【００１７】
上記原液計量タンク４内には、その一端側が原液メインタンク３の下部に接続された配管１１の他端側が挿設されている。この配管１１の途中には、後述する制御部で開閉制御されて配管１１内の通路を開閉する電磁弁１２が設けられている。また、配管１１の途中には、手動により配管１１内の通路を開閉するボールバルブ１３が設けられている。そして、原液計量タンク４内には、電磁弁１２及びボールバルブ１３の開放により原液メインタンク３から配管１１を介してクーラント原液が供給され貯留される。また、原液計量タンク４の側壁には、クーラント原液の液面レベルの上限を検出する原液上限センサ１４と、クーラント原液の液面レベルの下限を検出する原液下限センサ１５と、が設けられている。
【００１８】
上記水タンク５内には、その一端側が水道管１７（図３参照；本発明に係る「水源」として例示する。）に接続された配管１８の他端側が挿設されている。この配管１８の途中には、後述する制御部で開閉制御されて配管１８内の通路を開閉する電磁弁１９が設けられている。また、配管１８の途中には、水中のゴミ等を除去するストレーナ２０が設けられている。そして、水タンク５内には、電磁弁１９の開放により水道管１７から水が供給され貯留される。また、水タンク５の側壁には、水の液面レベルを検出する水位センサとして、その液面の上限を検出する水上限センサ２１と、水の液面レベルの下限を検出する水下限センサ２２と、が設けられている。なお、水道管１７（水源）の元圧は０．１〜０．７ＭＰａとされ、水源の流量は約２０Ｌ／分とされている。
【００１９】
上記クーラント供給装置１は、水タンク５から供給される水と原液計量タンク４から供給されるクーラント原液とを混合して希釈クーラントを生成する希釈部２４を備えている。この希釈部２４は、以下に述べる水供給用ポンプ２３、レギュレータ２７及びミキシング機構２５を備えている。
【００２０】
上記水供給用ポンプ２３は、蓋体７に取り付けられている。この水供給用ポンプ２３の吐出口２３ａとミキシング機構２５の水流入口２５ａとは第１配管２６で接続されている。この第１配管２６の途中には、水供給用ポンプ２３で汲み上げられた水を一定圧力でミキシング機構２５に供給するためのレギュレータ２７が設けられている。また、第１配管２６の途中には、後述する制御部で開閉制御されて配管２６内の通路を開閉する電磁弁２８が設けられている。また、ミキシング機構２５の原液流入口２５ｂと原液計量タンク４とは第２配管２９で接続されている。この第２配管２９の一端側は、原液計量タンク４内に挿設されている。ここで、ミキシング機構２５は、その水流入口２５ａから水が流入されることで、第２配管２９を介して原液計量タンク４内のクーラント原液を吸い上げて、水とクーラント原液を混合して希釈クーラントを生成する。また、ミキシング機構２５は、第１配管２６等を介して蓋体７に取り付けられている。
【００２１】
上記中間調整タンク６内には、その一端側がミキシング機構２５の流出口２５ｃに接続された第３配管３１の他端側が挿設されている。そして、中間調整タンク６内には、希釈部２４で生成された希釈クーラントが供給され貯留される。また、中間調整タンク６には、希釈クーラントの液面レベルを検出する加工油位センサとして、その液面の上限を検出する加工油上限センサ３２と、希釈クーラントの液面レベルの下限を検出する加工油下限センサ３３と、が設けられている。さらに、中間調整タンク６には、貯留された希釈クーラントを汲み上げて加工機Ｐ１，Ｐ２，Ｐ３…（図２参照）に供給する加工油供給用ポンプ３４が設けられている。この加工油供給用ポンプ３４は、蓋体７に取り付けられている。
【００２２】
なお、上記第３配管３１の途中には、希釈部２４で生成された希釈クーラントを排出するためのチェック用チューブ３５の一端側がバルブ３６を介して接続されている。そして、バルブ３６を開放することで、チェック用チューブ３５から希釈クーラントを滴下させて濃度チェックを行い得るようになっている。
【００２３】
上記クーラント供給装置１は、図４に示すように、図示しないＣＰＵ、メモリ（ＲＯＭ、ＲＡＭ等）、入出力回路等を備えたマイクロコントローラ（マイクロコンピュータ）からなる制御部４０を備えている。この制御部４０には、上述の各センサ１４、１５、２１、２２、３２、３３、水供給用ポンプ２３、加工油供給ポンプ３４及び各電磁弁１２、１９、２８が接続されている。
【００２４】
上記制御部４０は、図５に示すように、加工油上限センサ３２からＯＦＦ信号が入力された場合（ステップＳ１でＹＥＳ判定）、すなわち中間調整タンク６内の希釈クーラントの液面レベルが上限設定値未満となった場合、水供給用ポンプ２３を駆動し且つ電磁弁２８を開放する（ステップＳ２）。一方、加工油上限センサ２３からＯＦＦ信号が入力されない場合（ステップＳ１でＮＯ判定）、水供給用ポンプ２３の停止及び電磁弁２８の閉鎖を維持する（ステップＳ３）。また、原液上限センサ１４からＯＦＦ信号が入力された場合（ステップＳ４でＹＥＳ判定）、すなわち原液計量タンク４内のクーラント原液の液面レベルが上限設定値未満となった場合、電磁弁１２を開放する（ステップＳ５）。一方、原液上限センサ１４からＯＦＦ信号が入力されない場合（ステップＳ４でＮＯ判定）、電磁弁１２の閉鎖を維持する（ステップＳ６）。さらに、水上限センサ２１からＯＦＦ信号が入力された場合（ステップＳ７でＹＥＳ判定）、すなわち水タンク５内の水の液面レベルが上限設定値未満となった場合、電磁弁１９を開放する（ステップＳ８）。一方、水上限センサ２１からＯＦＦ信号が入力されない場合（ステップＳ７でＮＯ判定）、電磁弁１９の閉鎖を維持する（ステップＳ９）。
【００２５】
なお、上記制御部４０は、原液下限センサ１５及び水下限センサ２２からＯＦＦ信号が入力された場合、異常報知（例えば、異常ランプの点灯、ブザー音等）を行って装置を停止させる。さらに、制御部４０は、各加工機Ｐ１，Ｐ２，Ｐ３側から要求信号を受けると加工油供給用ポンプを駆動して各加工機Ｐ１，Ｐ２，Ｐ３へ希釈クーラントを供給させる。
【００２６】
（２）クーラント供給装置の作用
次に、上記構成のクーラント供給装置１の作用について説明する。図６に示すように、各加工機Ｐ１，Ｐ２，Ｐ３からの要求信号に基づいて、加工油供給用ポンプ３４の駆動により、中間調整タンク６に貯留された希釈クーラントが各加工機Ｐ１，Ｐ２，Ｐ３に供給される。この供給により、中間調整タンク６内の希釈クーラントの液面レベルが上限設定値未満となった場合、水供給用ポンプ２３が駆動され且つ電磁弁２８が開放される。すると、水供給用ポンプ２３で吸い上げられる水タンク５内の水は、レギュレータ２７を通ってミキシング機構２５に供給され、その水の流れにより原液計量タンク４に貯留されたクーラント原液がミキシング機構２５に吸い込まれる。そして、水とクーラント原液が混合されて希釈クーラントが生成されて中間調整タンク６内に供給される。
【００２７】
また、原液計量タンク４内のクーラント原液の液面レベルが上限設定値未満となった場合、電磁弁１２が開放される。すると、原液メインタンク３内のクーラント原液が原液計量タンク４内に供給される。さらに、水タンク５内の水の液面レベルが上限設定値未満となった場合、電磁弁１９が開放される。すると、水道管１７からの水が水タンク５内に供給される。
【００２８】
（３）実施例の効果
以上より、本実施例のクーラント供給装置１によると、クーラント原液を貯留する原液メインタンク３と、原液メインタンク３から供給されるクーラント原液を貯留する原液計量タンク４と、水を貯留する水タンク５と、水タンク５から供給される水と原液計量タンク４から供給されるクーラント原液とを混合して希釈クーラントを生成する希釈部２４と、希釈部２４で生成された希釈クーラントを貯留する中間調整タンク６と、を備えるので、各加工機Ｐ１，Ｐ２，Ｐ３からの要求信号に基づいて中間調整タンク６内に貯留される希釈クーラントが各加工機Ｐ１，Ｐ２，Ｐ３へ供給される。このように水タンク５を備えることで、水道管１７へのクーラント原液の逆流を防止することができる。また、原液計量タンク４を備えることで、原液計量タンク４でのクーラント原液の液面レベルを管理して希釈部２４に対するクーラント原液の供給圧力を一定にすることができる。その結果、希釈クーラントの濃度を安定化させることができる。
【００２９】
また、本実施例では、希釈部２４は、水及びクーラント原液を混合するミキシング構造２５と、水タンク５内の水を汲み上げる水供給用ポンプ２３と、水供給用ポンプ２３で汲み上げられた水を一定圧にてミキシング構造２５に供給するためのレギュレータ２７と、を備えるので、水タンク５内の水は、水供給用ポンプ２３で汲み上げられてレギュレータ２７を介してミキシング構造２５に一定圧にて供給される。その結果、希釈クーラントの濃度をさらに確実に安定化させることができる。
【００３０】
また、本実施例では、一端側が水タンク５に接続され他端側が水道管１７に接続される水供給用配管１８と、水供給用配管１８内の通路を開閉する水供給用電磁弁１９と、水タンク５内の水の液面レベルを検出する水上限センサ２１と、水上限センサ２１の検出結果に基づいて水供給用電磁弁１９を開閉制御する制御部４０と、を備えるので、水タンク５内の水の液面レベルが予め決められた設定値未満となったときに、制御部４０により水供給用電磁弁１９が開放されて水道管１７からの水が水供給用配管１８を介して水タンク５内に供給される。これにより、水タンク５での水の液面レベルを適正に管理できる。
【００３１】
また、本実施例では、希釈部２４に設けられ且つ水タンク５内の水を汲み上げる水供給用ポンプ２３と、中間調整タンク６内の希釈クーラントの液面レベルを検出する加工油上限センサ３２と、加工油上限センサ３２の検出結果に基づいて水供給用ポンプ２３を駆動制御する制御部４０と、を備えるので、中間調整タンク６内の希釈クーラントの液面レベルが予め決められた設定値未満となったときに、制御部４０により水供給用ポンプ２３が駆動されて水タンク５内の水及び原液計量タンク４内の原液クーラントが希釈部２４に供給され希釈クーラントが生成されて中間調整タンク６内に供給される。これにより、中間調整タンク６での希釈クーラントの液面レベルを適正に管理できる。
【００３２】
また、本実施例では、一端側が原液メインタンク３に接続され他端側が原液計量タンク４に接続される原液供給用配管１１と、原液供給用配管１１内の通路を開閉する原液供給用電磁弁１２と、原液計量タンク４内のクーラント原液の液面レベルを検出する原液上限センサ１４と、原液上限センサ１４の検出結果に基づいて原液供給用電磁弁１２を開閉制御する制御部４０と、を備えるので、原液計量タンク４内の原液クーラントの液面レベルが予め決められた設定値未満となったときに、制御部４０により原液供給用電磁弁１２が開放されて原液メインタンク３内の原液クーラントが原液供給用配管１１を介して原液計量タンク４内に供給される。これにより、原液計量タンク４でのクーラント原液の液面レベルを適正に管理できる。
【００３３】
また、本実施例では、原液計量タンク４、水タンク５及び中間調整タンク６は、原液メインタンク３の下方で水平方向に隣接するように配設されているので、装置全体の小型化を図ることができる。
【００３４】
さらに、本実施例では、原液計量タンク４、水タンク５及び中間調整タンク６の上部には、各タンク４、５、６の上方開放部を閉鎖するように蓋体７が着脱可能に取り付けられ、蓋体７には、水供給用ポンプ２３、ミキシング機構２５及び加工油供給ポンプ３４が取り付けられているので、各タンク４、５、６に対して蓋体７を取り外すことで各部位のメンテナンスを容易に行うことができる。
【００３５】
尚、本発明においては、上記実施例に限られず、目的、用途に応じて本発明の範囲内で種々変更した実施例とすることができる。即ち、上記実施例では、水源として、水道設備を構成する水道管１７を例示したが、これに限定されず、例えば、水を貯留する貯留タンク又は貯留池に一端側が接続されてポンプ等の水供給手段を備える水供給管を水源として採用してもよい。すなわち、水源としては、水を所定の圧力、流量で供給できる限り特に問わない。
【００３６】
さらに、上記実施例では、水流入口２５ａから水が流入されることで原液計量タンク４内のクーラント原液をミキシング機構２５に吸い上げる形態を例示したが、これに限定されず、例えば、ポンプにより原液計量タンク４内のクーラント原液がミキシング機構２５に供給されるようにしてもよい。
【００３７】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００３８】
本発明は上記で詳述した実施形態に限定されず、本発明の請求項に示した範囲で様々な変形または変更が可能である。
【産業上の利用可能性】
【００３９】
旋盤やフライス盤などの加工機にクーラントを供給するための技術として利用される。
【符号の説明】
【００４０】
１；クーラント供給装置、３；原液メインタンク、４；原液計量タンク、５；水タンク、６；中間調整タンク、１７；水道管、１８；配管、１９；電磁弁、２１；水位センサ、２３；水供給用ポンプ、２４；希釈部、２５；ミキシング構造、２７；レギュレータ、３２；加工油位センサ、４０；制御部、Ｐ；加工機。
【図１】
2013230521.tif 000003
【図２】
2013230521.tif 000004
【図３】
2013230521.tif 000005
【図４】
2013230521.tif 000006
【図５】
2013230521.tif 000007
【図６】
2013230521.tif 000008
【図７】
2013230521.tif 000009